(57)【要約】      （修正有）【課題】古新聞紙や古雑誌の紙片に、ひだや窪み、及び、浸透性を上げる小孔のエンボス加工を家庭内で必要な量を容易に施すことができる小型古紙エンボス加工機を提供する。【解決手段】エンボス加工用ローラーに、巻き込み防止のための送りローラーや巻き込み防止プレートを付設する。【選択図】図１
0003158561.tif 000002
【実用新案登録請求の範囲】
【請求項１】
エンボス加工用ローラに、複数の送りローラーや巻き込み防止プレートを付設し、古新聞紙や古雑誌の紙片にエンボス加工を施すように構成されたことを特徴とする小型古紙エンボス加工機。
【請求項２】
２組の相反する回転をするエンボス加工用ローラに、前記エンボス加工用ローラの下部に送り兼巻き込み防止用ローラーを付設することで、複数枚重ね合わせた古新聞紙や古雑誌の紙片、及び、複数折りにした紙片にエンボス加工を施すように構成されたことを特徴とする小型古紙エンボス加工機。
【考案の詳細な説明】
【技術分野】
【０００１】
本考案は、エコロジーの観点から古新聞紙や古雑誌の紙片に、食材の水切りや調理後の油脂や汚れを効率よく拭き取れるように表面積を増やすひだや窪み、及び、浸透性を上げる小孔のエンボス加工を家庭内で容易に施すことができるように構成されたことを特徴とする小型古紙エンボス加工機に関するものである。
【背景技術】
【０００２】
一般には、上記に記す目的を持つ市販されているキッチンペーパーは、長尺ロール紙を使用して一度の段取りで巻き取りローラーに量産加工している。
【先行技術文献】
【特許文献】
【０００３】
【特許文献１】特になし。
【考案の概要】
【考案が解決しようとする課題】
【０００４】
本考案は、上記の問題を解決するものであって、リサイクル利用の一環として、食材の水切りや調理後の油脂や汚れを効率よく拭き取れるように古新聞紙や古雑誌の紙片に表面積を増やすひだや窪み、及び、浸透性を上げる小孔のエンボス加工を家庭内で必要な量を容易に施すことができるように構成された小型古紙エンボス加工機を提供することを目的としている。
【課題を解決するための手段】
【０００５】
上記の目的を達成するための本考案の小型古紙エンボス加工機は、エンボス加工用ローラーに、巻き込み防止のための送りローラーや巻き込み防止プレートを付設することで、古新聞紙や古雑誌の紙片にエンボス加工を容易に施せるように構成した。
【考案の効果】
【０００６】
本考案の小型古紙エンボス加工機は、エコロジー、リサイクル利用の一環として、古新聞紙や古雑誌の紙片に表面積を増やすひだや窪み、及び、浸透性を上げる小孔のエンボス加工をすることで、飛び散ったテーブルの汚れや調理後の調理器具の油脂や汚れを効率よく拭き取れること、また、食材の水切りにも使用でき、多量の市販品のキッチンペーパーやティッシュを使用することもなく、洗剤の使用量も減少し、更に、油脂を拭き取った古紙の灰は家庭菜園や花壇への良質の肥料にもなる。
【図面の簡単な説明】
【０００７】
【図１】本考案を適用した小型古紙エンボス加工機の全体を説明する第１実施例の簡略展開図である。
【図２】本考案を適用した小型古紙エンボス加工機を説明する第１実施例の一部断面の側面図である。
【図３】本考案を適用した小型古紙エンボス加工機を説明する第１実施例の一部断面の平面図である。
【図４】本考案を適用した小型古紙エンボス加工機を説明する第２実施例セッティングの斜視図とその一部断面の側面図である。
【図５】本考案を適用した小型古紙エンボス加工機を説明する第２実施例加工中の斜視図とその一部断面の側面図である。
【図６】本考案を適用した小型古紙エンボス加工機を説明する第２実施例の一部断面の正面図である。
【図７】本考案を適用した小型古紙エンボス加工機を説明する第２実施例の一部断面の平面図である。
【考案を実施するための形態】
【０００８】
本考案は、家庭内の冷蔵庫側面やキッチン側壁に磁石や接着シートにて小型古紙エンボス加工機を取付、必要な使用分の古新聞紙や古雑誌の紙片に食材の水切りや調理後の油脂や汚れを効率よく拭き取れるように表面積を増やすひだや窪み、及び、浸透性を上げる小孔のエンボス加工を施こした再生キッチンペーパーの製造ができる。
【実施例】
【０００９】
図１は、本考案に関する第１実施例の簡略展開図であって、古新聞１ページの４切りの寸法（縦２７ｃｍ、横２０ｃｍ）の紙片Ｐにエンボス加工を施す本体１Ａで、カバー２と逃し溝４を付した紙片押さえ蓋３の間に、金属や合成樹脂の材質からなるエンボス加工用ローラーと、これに紙片が噛み込まれないための合成ゴムや軟質合成樹脂の材質からなる巻き込み防止用兼送りローラーの開口６を付した巻き込み防止兼ガイドプレート５とから構成されている。
【００１０】
図２は、本考案に関する第１実施例の図の一部断面の側面配置図であって、同軸にエンボス加工用ローラー７と巻き込み防止用の送りローラー８が組み合わされ矢印Ａ方向に回転し、４切りの紙片Ｐを挿入口９から挿入する。
【００１１】
図３は、本考案に関する第１実施例の一部断面の平面図であって、図３−１は、モーターからの回転を伝導プーリー１０を介してエンボス加工用ローラー７と巻き込み防止用の送りローラー８が回転する１例で、図３−２は、各ローラーを細かく交互に配して、より巻き込み防止を高めている１例である。
【００１２】
図４は、本考案に関する第２実施例の図であって、４つ切り紙片Ｐの複数枚や４つ折りにした古新聞を一度にエンボス加工を施す本体１Ｂで、図４−１は、カバー１１内の合成ゴムや軟質合成樹脂の材質からなる複数枚一括送りローラー１５ａと１５ｂの隙間に紙片Ｐを挿入している斜視図で、図４−２は、第２実施例の図の一部断面の側面配置図であって、カバー１１内のエンボス加工用ローラー１３ａと逃し溝ローラー１４ａが同軸に１組としてセットされ、Ｓを基点として開閉する開閉蓋１２内にもエンボス加工用ローラー１３ｂと逃し溝ローラー１４ｂが同軸に１組としてセットされている。
【００１３】
図５は、本考案に関する第２実施例の図であって、図５−１は、複数枚の紙片Ｐを一括同時加工しているところを示す斜視図で、図５−２は、第２実施例の図の一部断面の側面配置図で、各ローラーが矢印Ｂ、矢印Ｃ方向に回転しエンボス加工用ローラー１３ａ、１３ｂと逃し溝ローラー１４ａ、１４ｂ、複数枚送りローラー１５ａ、１５ｂにより複数枚の紙片Ｐに両面から一括エンボス加工をする。なお、モーターからの回転は伝導プーリー１６を経て歯車１７により開閉蓋１２内のエンボス加工用ローラー１３ｂと逃し溝ローラー１４ｂに伝導されている。
【００１４】
図６は、本考案に関する第２実施例の一部断面の正面配置図であって、カバー１１側エンボス加工用ローラー１３ａと逃し溝ローラー１４ａと開閉する開閉蓋１２内のエンボス加工用ローラー１３ｂと逃し溝ローラー１４ｂによって複数枚の紙片Ｐの両面からエンボス加工ができるようになっていて、これらの下部には複数枚の紙片を一括挟み込むように送り込む送りローラー１５ａ、１５ｂが施してある。
【００１５】
図７は、本考案に関する第２実施例の一部断面の平面配置図であって、カバー１１側エンボス加工用ローラー１３ａと逃し溝ローラー１４ａと、また、開閉する開閉蓋１２内のエンボス加工用ローラー１３ｂと逃し溝ローラー１４ｂによって複数枚の紙片Ｐの両面からエンボス加工ができるようになっている。
【産業上の利用可能性】
【００１６】
特になし。
【符号の説明】
【００１７】
１    本体
Ｐ    紙片
２    カバー
３    押さえ蓋３
４    逃し溝
５    巻き込み防止兼ガイドプレート
６    開口
７    エンボス加工用ローラー
８    巻き込み防止用の送りローラー
９    紙片挿入口
１０  プーリー
１１  カバー
１２  開閉蓋
Ｓ    開閉蓋回転基点
１３ａ、１３ｂ  エンボス加工用ローラー
１４ａ、１４ｂ  逃し溝ローラー
１５ａ、１５ｂ  送りローラー
１６  プーリー
１７  歯車
【図１】
0003158561.tif 000003
【図２】
0003158561.tif 000004
【図３】
0003158561.tif 000005
【図４】
0003158561.tif 000006
【図５】
0003158561.tif 000007
【図６】
0003158561.tif 000008
【図７】
0003158561.tif 000009